(57)【要約】【課題】レンズホルダとＡＦ／Ｚｏｏｍモジュールとの接着強度を向上しつつ、簡便に接着することのできる固体撮像装置を実現する【解決手段】本発明のカメラモジュールは、ＡＦ／Ｚｏｏｍモジュールにおける駆動部６１の裏面に、複数の突起６１ｂを備えている。突起６１ｂは、光路上に形成された開口６３から放射状に伸びている。これにより、レンズホルダとＡＦ／Ｚｏｏｍモジュールとを接着する際に、突起６１ｂ上に接着剤を広げることができる。しかも、過剰に接着剤を用いても、余剰の接着剤を突起６１ｂ間に留めることができる。【選択図】図１
2008245155.tif 000002
【特許請求の範囲】
【請求項１】
固体撮像素子を備えた撮像ユニット、および、
外部の光を固体撮像素子の受光面に導くレンズと、レンズ位置を調整する位置調整部と、そのレンズおよび位置調整部を内部に保持するレンズホルダとを備え、位置調整部がレンズホルダに接着された光学ユニットを備えた固体撮像装置であって、
レンズホルダおよび位置調整部は、いずれも光路上に開口が形成されており、
レンズホルダにおける位置調整部の保持面、または、位置調整部における上記保持面との対向面に、上記保持面または対向面上の上記開口から放射状に伸びる複数の突起が形成されていることを特徴とする固体撮像装置。
【請求項２】
複数の突起の各突起は、上記開口からレンズホルダまたは位置調整部の外縁部へ、弓状に伸びていることを特徴とする請求項１に記載の固体撮像装置。
【請求項３】
隣り合う２つの突起間の幅が、上記開口からレンズホルダまたは位置調整部の外縁部へ向かって、広くなっていることを特徴とする請求項１または２に記載の固体撮像装置。
【請求項４】
複数の突起が、渦巻き状に形成されていることを特徴とする請求項１〜３のいずれか１項に記載の固体撮像装置。
【請求項５】
上記保持面または対向面上の突起形成領域が、突起非形成領域よりも広くなっていることを特徴とする請求項１に記載の固体撮像装置。
【請求項６】
上記保持面または対向面上の突起形成領域が、突起非形成領域よりも狭くなっていることを特徴とする請求項１に記載の固体撮像装置。
【請求項７】
請求項１〜６のいずれか１項に記載の固体撮像装置を備えた電子機器。
【発明の詳細な説明】
【技術分野】
【０００１】
本発明は、固体撮像装置およびそれを備えた電子機器に関するものであり、より詳細には、例えば、カメラ付き携帯電話、ディジタルスチルカメラ、セキュリティカメラなどの電子機器に好適に利用できる固体撮像装置に関するものである。
【背景技術】
【０００２】
カメラ付き携帯電話や、ディジタルスチルカメラに応用されている固体撮像装置（カメラモジュール）は通常、固体撮像素子、信号処理装置（DSP）、レンズ、レンズ保持具（筐体）、および鏡胴などがパッケージに集積されている。さらに、最近では、オートフォーカス（AF）機能およびズーム（Zoom）機能のような、焦点調整機能を固体撮像装置に付与するための機構部品が、配線基板またはその他の固体撮像装置を構成する部品に、接着剤を用いて貼付け固定されている。
【０００３】
従来、焦点調整機能を付与する機構部品は、その機構部品および機構部品を接着する部品の一方に、接着剤を塗布することによって、接着されていた。例えば、塗布ノズルを用いて、一筆書きの要領で一方の部品の接着面をなぞるようにして、接着面に接着剤が塗布される。接着剤の塗布後、互いの部品を密着させた状態で接着剤を硬化すれば、焦点調整機能を付与する機構部品の接着が完了する。
【０００４】
しかし、このようにして接着すると、過剰な接着剤が接着面からはみ出してしまう虞があったり、接着剤の塗布不足による接着不良が生じる虞があったりするため、接着剤の塗布量を調整するのが困難であった。特に、携帯電話に適用するカメラ接着剤の塗布量の調整が困難となる。
【０００５】
そこで、例えば、特許文献１には、接着剤の塗布ムラおよび接着剤のはみ出しを防ぐことを目的としたイメージセンサモジュールが開示されている。図１４は、特許文献１のイメージセンサモジュールの断面図である。このイメージセンサモジュールでは、レンズホルダ５４０の配線基板５１５との接着面の一部に溝５１４を備え、その溝５１４に充填された接着剤によって、レンズホルダ５４０が配線基板５１５に固定される。具体的には、レンズホルダ５４０と配線基板５１５とを圧接させた状態で、溝５１４に接着剤を注入することによって、レンズホルダ５４０と配線基板５１５とを互いに接合固定する。このようにして、特許文献１では、接着剤の塗布ムラを防ぎ、接着の品質および作業性の向上を図るとともに、接着剤のはみ出しを防ごうとしている。
【０００６】
なお、特許文献１には、溝５１４に代えて、レンズホルダ５４０の底面の側面に形成されたテーパ部（図示せず）に接着剤を注入する構成でも、溝５１４を形成した場合と同様の効果が得られることも開示されている。
【特許文献１】特開２００５−４３６７５４号公報（２００５年９月２日公開）
【発明の開示】
【発明が解決しようとする課題】
【０００７】
しかしながら、特許文献１のイメージセンサモジュールでは、接着強度が不十分となるという問題が生じる。
【０００８】
具体的には、特許文献１では、図１４のように、接着剤は溝５１４にのみ注入される。このため、接着剤の塗布ムラを防ぎことによって、接着の品質の向上はある程度望むことができる。
【０００９】
しかしながら、特許文献１では、レンズホルダ５４０と配線基板５１５とを圧接させた状態で、溝５１４に接着剤を注入する。このため、溝５１４注入された接着剤のみによって接着することになる。つまり、溝５１４が形成されていない部分には接着剤は供給されない。従って、接着に関与する部分が溝５１４に限定されるため、接着強度が、非常に低いものとなってしまう。接着強度が低いと、焦点調整機能（オートフォーカス機能，ズーム機能）を得るための機構部品をレンズホルダ５４０に接着させた場合、その機構部品が簡単に剥がれてしまう。つまり、その機構部品を携帯電話やディジタルスチルカメラに組み込んだ場合、特に落下したときには、接着された機構部品が剥がれる虞がある。なお、このような問題は、溝５１４の代わりにテーパ部を形成した場合にも生じる。
【００１０】
本発明は、上記の問題点に鑑みてなされたものであり、その目的は、レンズホルダとレンズ位置を調整する位置調整部との接着強度を向上しつつ、簡便に接着することのできる固体撮像装置を提供することにある。
【課題を解決するための手段】
【００１１】
本発明の固体撮像装置は、上記の課題を解決するために、固体撮像素子を備えた撮像ユニット、および、
外部の光を固体撮像素子の受光面に導くレンズと、レンズ位置を調整する位置調整部と、そのレンズおよび位置調整部を内部に保持するレンズホルダとを備え、位置調整部がレンズホルダに接着された光学ユニットを備えた固体撮像装置であって、
レンズホルダおよび位置調整部は、いずれも光路上に開口が形成されており、
レンズホルダにおける位置調整部の保持面、または、位置調整部における上記保持面との対向面に、上記保持面または対向面上の上記開口から放射状に伸びる複数の突起が形成されていることを特徴としている。
【００１２】
上記の発明によれば、位置調整部が、レンズホルダに接着されている。そして、レンズホルダにおける位置調整部の保持面、または、位置調整部における上記保持面との対向面に、複数の突起が形成されている。すなわち、レンズホルダおよび位置調整部の一方は、レンズホルダと位置調整部との接着面に、複数の突起を備えている。しかも、それらの突起は、レンズホルダおよび位置調整部の光路上に形成された開口から、放射状に伸びている。
【００１３】
これにより、レンズホルダと位置調整部とを接着する接着剤は、レンズホルダまたは位置調整部と、それらの一方に形成された突起とが接触すると、突起上に沿って流れる。このため、突起上の接着剤のない領域までにも、接着剤が広がる。従って、接着剤が、突起上を均一に広がるため、レンズホルダと位置調整部との接着強度を高めることができる。
【００１４】
さらに、余剰の接着剤は、突起間に流れるため、突起間に留めることができる。このため、たとえ、接着面に過剰に接着剤が塗布されていても、余剰の接着剤は、突起間に保持される。従って、接着剤の使用量を厳密に制御することなく、レンズホルダと位置調整部との簡便に接着することもできる。
【００１５】
このように、上記の発明によれば、複数の突起を備えることによって、接着強度を向上しつつ、レンズホルダと位置調整部とを簡便に接着することができる。
【００１６】
本発明の固体撮像装置では、複数の突起の各突起は、上記開口からレンズホルダまたは位置調整部の外縁部へ、弓状に伸びていることが好ましい。
【００１７】
上記の発明によれば、各突起が、レンズホルダまたは位置調整部の開口から外縁部へ、弓状に伸びている。つまり、各突起が、非直線的に（湾曲して）伸びている。これにより、各突起が直線的に伸びている場合よりも、突起の面積が広くなる。従って、レンズホルダと位置調整部との接着強度をより向上することができ、接着不良を防ぐことができる。
【００１８】
本発明の固体撮像装置では、隣り合う２つの突起間の幅が、上記開口からレンズホルダまたは位置調整部の外縁部へ向かって、広くなっているが好ましい。
【００１９】
上記の発明によれば、隣り合う２つの突起間の距離が、レンズホルダと位置調整部との接着面の外側に向かうにつれ、広がっている。つまり、複数の突起は、隣り合う突起間の距離が接着面の外側に向かうにつれて、広がるように形成されている。これにより、突起間の領域を広くとることができる。このため、余剰の接着剤を確実に突起間に留めることができる。従って、接着剤の漏れを確実に防ぐことができる。
【００２０】
本発明の固体撮像装置では、複数の突起が、渦巻き状に形成されているが好ましい。
【００２１】
上記の発明によれば、複数の突起が、渦巻き状に同一方向の弧を形成するように曲がっている。これにより、直線的に突起を形成した場合よりも、突起間から撮像に必要のない光（レンズを通らない光）が、入るのを防ぐことができる。
【００２２】
本発明の固体撮像装置では、上記保持面または対向面上の突起形成領域が、突起非形成領域よりも広くなっていてもよい。言い換えれば、複数の突起が、上記保持面または対向面の面積の５０％以上を占めるように形成されていてもよい。
【００２３】
上記の発明によれば、突起間の領域よりも、突起の領域が広く設定される。これにより、レンズホルダと位置調整部との接触面積が広くなる。従って、レンズホルダと位置調整部との接着強度をより向上することができる。
【００２４】
本発明の固体撮像装置では、上記保持面または対向面上の突起形成領域が、突起非形成領域よりも狭くなっていてもよい。言い換えれば、複数の突起が、上記保持面または対向面の面積の５０％未満を占めるように形成されていてもよい。
【００２５】
上記の発明によれば、突起の領域よりも、突起間の領域が広く設定される。これにより、余剰の接着剤を確実に突起間に留めることができる。従って、接着剤の漏れを確実に防ぐことができる。
【００２６】
本発明の電子機器は、前記いずれかの固体撮像装置を備えている。それゆえ、接着強度を向上しつつ、レンズホルダと位置調整部とを簡便に接着することができる電子機器を提供することができる。
【発明の効果】
【００２７】
本発明に係る固体撮像装置は、以上のように、レンズホルダにおける位置調整部の保持面、または、位置調整部における上記保持面との対向面に、上記保持面または対向面上の上記開口から放射状に伸びる複数の突起が形成されている構成である。これにより、接着剤を、突起上を均一に広げることができるため、レンズホルダと位置調整部との接着強度を高めることができる。さらに、余剰の接着剤を、突起間に保持することができるため、接着剤の使用量を厳密に制御することなく、レンズホルダと位置調整部との簡便に接着することもできる。
【発明を実施するための最良の形態】
【００２８】
以下、本発明の実施形態について、図面に基づいて説明する。なお、本発明は、これに限定されるものではない。
【００２９】
本発明の固体撮像装置は、カメラ付き携帯電話，ディジタルスチルカメラ，セキュリティカメラなどの撮影可能な電子機器に好適である。本実施形態では、カメラ付き携帯電話機に適用されるカメラモジュール（固体撮像装置）について説明する。
【００３０】
図２は、本実施形態のカメラモジュール１００の断面図であり、図３は、カメラモジュール１００の上面図である。カメラモジュール１００は、撮像ユニット１と、レンズユニット（光学ユニット）２とが、接着剤３により接着されたものであり、レンズユニット２が撮像ユニット１に搭載された構成となっている。以下の説明では、便宜上、レンズユニット２側を上方、撮像ユニット１側を下方とする。
【００３１】
＜撮像ユニット１＞
撮像ユニット１は、レンズユニット２によって形成される被写体像を、電気信号に変換する撮像部である。つまり、撮像ユニット１は、レンズユニット２から入射された入射光を光電変換するセンサデバイスである。
【００３２】
撮像ユニット１は、図２に示すように、配線基板１１上に、ＤＳＰ（digital signal processor）１２，スペーサ１３，および固体撮像素子１４を備え、これらが配線基板１１上にこの順に積層された構造である。また、ＤＳＰ１２および固体撮像素子１４と、配線基板１１とは、ワイヤ１５によって互いに接続されている。
【００３３】
以下、撮像ユニット１を構成する各部材について、詳細に説明する。
配線基板１１は、図示しないパターニングされた配線を有する基板である。配線基板１１は、例えば、プリント基板，またはセラミック基板などである。
【００３４】
なお、配線基板１１の表面（ＤＳＰ１２等が実装される面）には、図示しない端子が形成されている。そして、配線基板１１の中央部に積層されるＤＳＰ１２および固体撮像素子１４が、各々ワイヤ１５を介して、配線基板１１上の端子に接続される。これにより、ＤＳＰ１２および固体撮像素子１４と配線基板１１とが、電気的に接続され、互いに電気信号の送受が可能となっている。
【００３５】
ＤＳＰ１２は、固体撮像素子１４の動作を制御し、固体撮像素子１４から出力される信号を処理する半導体チップである。なお、配線基板１１上には、ＤＳＰ１２の他に、図示しないが、プログラムに従って各種演算処理を行うＣＰＵ，そのプログラムを格納するＲＯＭ，各処理過程のデータ等を格納するＲＡＭなどの電子部品も備えている。そして、これらの電子部品によって、カメラモジュール１００全体が制御される。
【００３６】
なお、ＤＳＰ１２の表面には、電気信号の入出力などを行うための複数のボンディングパッド（図示せず）が形成されている。
【００３７】
スペーサ１３は、ＤＳＰ１２と固体撮像素子１４との間に配置されるとともに、これらの間の距離を調整するものである。すなわち、ＤＳＰ１２に接続されるワイヤ１５と固体撮像素子１４に接続されるワイヤ１５との接触、および、ＤＳＰ１２に接続されるワイヤ１５と固体撮像素子１４との接触を避けるように、スペーサ１３の高さが調整される。スペーサ１３としては、例えば、シリコン片などを適用することができる。
【００３８】
固体撮像素子１４は、レンズユニット２で形成された被写体像を、電気信号に変換するものである。つまり、レンズユニット２から入射された入射光を光電変換するセンサデバイスである。固体撮像素子１４は、例えば、ＣＣＤまたはＣＭＯＳセンサーＩＣである。固体撮像素子１４の表面（上面）には、複数の画素がマトリクス状に配置された受光面（図示せず）が形成されている。この受光面は、レンズユニット２から入射される光を透過する領域（光透過領域）であり、画素エリアとも言い換えられる。撮像ユニット１における撮像面は、この受光面（画素エリア）である。
【００３９】
固体撮像素子１４は、この受光面（画素エリア）に結像された被写体像を電気信号に変換して、アナログの画像信号として出力する。つまり、この受光面で、光電変換が行われる。固体撮像素子１４の動作は、ＤＳＰ１２で制御され、固体撮像素子１４で生成された画像信号は、ＤＳＰ１２で処理される。
【００４０】
＜レンズユニット２＞
次に、レンズユニット２について説明する。図４は、レンズユニット２の断面図である。レンズユニット２は、被写体像を形成する撮影光学系（光学構造体）である。つまり、レンズユニット２は、外部からの光を撮像ユニット１の受光面（撮像面）へ導くための光路画定器である。
【００４１】
レンズユニット２は、図２に示すように、レンズ４０，レンズホルダ５０，およびオートフォーカスおよびズームモジュール（以下「ＡＦ／Ｚｏｏｍモジュール」とする）６０，およびリッドガラス７０から構成される。また、レンズホルダ５０は、レンズ４０を保持する第１ホルダ５１と、ＡＦ／Ｚｏｏｍモジュール６０を保持する第２ホルダ５２を備えている。そして、レンズユニット２は、中心から、レンズ４０，第１ホルダ５１，ＡＦ／Ｚｏｏｍモジュール６０，第２ホルダ５２の順に配置されている。
【００４２】
具体的には、レンズホルダ５０は、内部にレンズ４０およびＡＦ／Ｚｏｏｍモジュール６０を保持（支持）するための枠体である。レンズホルダ５０は、中空（筒状）の部材であり、その内部にレンズ４０およびＡＦ／Ｚｏｏｍモジュール６０が保持される。より詳細には、レンズホルダ５０は、レンズ４０を保持する第１ホルダ５１と、ＡＦ／Ｚｏｏｍモジュール６０を保持する第２ホルダ５２とを備えている。
【００４３】
ＡＦ／Ｚｏｏｍモジュール６０は、カメラモジュール１００にオートフォーカス機能および／またはズーム機能を付与するためのものである。つまり、ＡＦ／Ｚｏｏｍモジュール６０は、レンズ４０の位置を任意に調整する位置調整部として機能する。ＡＦ／Ｚｏｏｍモジュール６０は、レンズホルダ５０（第２ホルダ５２）に接着されている。図５は、ＡＦ／Ｚｏｏｍモジュール６０の上面図であり、図６は、ＡＦ／Ｚｏｏｍモジュール６０の断面図である。図７は、レンズユニット２におけるレンズ４０の位置調整を示す断面図である。
【００４４】
図５のように、ＡＦ／Ｚｏｏｍモジュール６０は、駆動部６１と、駆動部６１の内部に保持された可動部６２とを備えている。また、ＡＦ／Ｚｏｏｍモジュール６０の中央部には、光路を確保するために開口６３が形成されている。駆動部６１は、図６のように、内部にコイル（電磁石）６１ａを備えている。なお、駆動部６１は、コイル６１ａ以外にも、図示しない磁石，リニアモータ，歯車，コイル６１ａに引き込む電線，可動部６２の動きを制限するバネなどの部材を備えている。そして、駆動部６１が駆動することによって、駆動部６１の内部に保持された可動部６２の位置を変動可能となっている。また、可動部６２内部に形成された開口６３には、レンズ４０を保持した第１ホルダ５１がねじ込むように装着される。これにより、図７のように、可動部６２の移動範囲内で、レンズ４０の位置を調整することが可能となる。従って、この移動範囲内で、任意の焦点が得られるように、レンズ４０の位置を調整するとともに、その調整位置にレンズ４０を固定することが可能となる。このように、カメラモジュール１００は、ＡＦ／Ｚｏｏｍモジュール６０によって、焦点距離を任意に変更することができる。
【００４５】
リッドガラス７０は、ガラスなどの透光性部材から構成されている。リッドガラス７０の表面には、赤外線遮断膜（ＩＲカットフィルタ）が形成されており、リッドガラス７０が赤外線を遮断する機能も備えている。
【００４６】
図８は、レンズユニット２の裏面図および断面図である。図８のように、リッドガラス７０は、第２ホルダ５２におけるＡＦ／Ｚｏｏｍモジュール６０の保持面と逆の面に配置されている。さらに、リッドガラス７０は、第２ホルダ５２およびＡＦ／Ｚｏｏｍモジュール６０の光路上に形成された開口５３・６３を塞ぐように形成されている。また、リッドガラス７０は、固体撮像素子１４と対向する。これにより、固体撮像素子１４への湿気の進入、および、塵埃の進入を防止することができる。
【００４７】
このようなカメラモジュール１００の撮像時には、まず、レンズユニット２により、外部からの光が、撮像ユニット１（固体撮像素子１４）の受光面（撮像面）に導かれ、その受光面に被写体像が結像される。そして、その被写体像が、撮像ユニット１によって電気信号に変換され、その電気信号に対し、各種処理（画像処理等）が施される。また、図１２に示すように、カメラモジュール１００は、撮像ユニット１の各部材の周囲に塗布された接着剤３により、撮像ユニット１上にレンズユニット２が接着されることにより形成される。
【００４８】
ここで、カメラモジュール１００の特徴的構成であるＡＦ／Ｚｏｏｍモジュール６０について、より詳細に説明する。前述のように、ＡＦ／Ｚｏｏｍモジュール６０は、第２ホルダ５２に接着される。ここで、ＡＦ／Ｚｏｏｍモジュール６０を第２ホルダ５２に接着するとき、接着剤が多過ぎると、リッドガラス７０に接着剤が漏れる。その結果、光路上に接着剤が流れてしまい、撮像した画像が悪くなる。一方、接着剤が少なすぎると、接着強度が低下する。その結果、接着不良となり、ＡＦ／Ｚｏｏｍモジュール６０が剥がれる虞がある。このため、接着剤の使用量を制御して、接着強度を維持する必要がある。しかも、生産効率を高めるために、接着剤の使用は、できるだけ簡便であることが好ましい。
【００４９】
そこで、本実施形態のカメラモジュール１００では、ＡＦ／Ｚｏｏｍモジュール６０が、接着強度を高めるようになっている。図１はＡＦ／Ｚｏｏｍモジュール６０の裏面の斜視図であり、図９はＡＦ／Ｚｏｏｍモジュール６０の裏面図である。具体的には、これらの図のように、ＡＦ／Ｚｏｏｍモジュール６０の裏面に、複数の突起６１ｂが形成されている。
【００５０】
より詳細には、ＡＦ／Ｚｏｏｍモジュール６０の裏面（第２ホルダ５２におけるＡＦ／Ｚｏｏｍモジュール６０を保持する保持面との対向面）に、複数の突起６１ｂが形成されている。ＡＦ／Ｚｏｏｍモジュール６０の中央には、光路を確保するために形成された開口６３が形成されている。突起６１ｂは、この開口６３から放射状に伸びるように形成されている。各突起６１ｂは、このように放射状に伸びていれば、直線的または非直線的に伸びていればよい。
【００５１】
図１および９のように、本実施形態では、各突起６１ｂは、開口６３からＡＦ／Ｚｏｏｍモジュール６０の外縁部へ、弓状に伸びている。さらに、隣り合う２つの突起６１ｂ間の幅が、開口６３から外縁部へ向かって広くなっている。しかも、突起６１ｂは、渦巻き状に形成されている。なお、突起６１ｂが形成されているため、突起６１ｂが形成されていない領域が凹部となっている。
【００５２】
図１０は、第２ホルダ５２にＡＦ／Ｚｏｏｍモジュール６０を接着する工程を示す断面図である。図１１は、ＡＦ／Ｚｏｏｍモジュール６０の裏面における接着剤の進行方向を示す図である。
【００５３】
図１０のように、ＡＦ／Ｚｏｏｍモジュール６０を第２ホルダ５２上に接着するとき、第２ホルダ５２およびＡＦ／Ｚｏｏｍモジュール６０の少なくとも一方に接着剤が塗布される。そして、第２ホルダ５２のＡＦ／Ｚｏｏｍモジュール６０保持面にＡＦ／Ｚｏｏｍモジュール６０が配置されることによって、互いに接着される。
【００５４】
ここで、第２ホルダ５２にＡＦ／Ｚｏｏｍモジュール６０を接着するときには、図１１のように矢印で示すように、接着剤３０がＡＦ／Ｚｏｏｍモジュール６０の裏面をまんべんなく広がる。具体的には、例えば、図１１のように、ＡＦ／Ｚｏｏｍモジュール６０に接着剤３０を塗布したとすると、第２ホルダ５２にＡＦ／Ｚｏｏｍモジュール６０が配置されると、まず突起６１ｂと第２ホルダ５２とが接触する。これにより、突起６１ｂ上の接着剤は、突起６１ｂ上の接着剤３０がない部分にまで広がる。その結果、突起６１ｂ上に接着剤３０が広がる。さらに、余剰の接着剤３０は、突起６１ｂに沿って流れ、突起６１ｂ間に広がる。このため、ＡＦ／Ｚｏｏｍモジュール６０の裏面全体に、まんべんなく接着剤３０が広がる。つまり、第２ホルダ５２とＡＦ／Ｚｏｏｍモジュール６０との接着面に、まんべんなく接着剤３０が広がる。
【００５５】
このように、カメラモジュール１００では、突起６１ｂを備えることによって、第２ホルダ５２とＡＦ／Ｚｏｏｍモジュール６０との接着面の全面に、均一に接着剤を広げることができる。これにより、第２ホルダ５２とＡＦ／Ｚｏｏｍモジュール６０との接着強度を高めることができる。しかも、突起６１ｂと第２ホルダ５２との接触によって、接着剤が広がるため、たとえ、過剰に接着剤が塗布されていても、余剰の接着剤は、突起６１ｂ間に保持される。従って、接着剤の使用量を厳密に制御する必要がないため、第２ホルダ５２とＡＦ／Ｚｏｏｍモジュール６０とを簡便に接着することもできる。
【００５６】
特に、突起６１ｂ間の接着剤の保持量が突起６１ｂと同じ高さとなっていれば、ＡＦ／Ｚｏｏｍモジュール６０の裏面全体が、第２ホルダ５２との接着面となる。これにより、第２ホルダ５２とＡＦ／Ｚｏｏｍモジュール６０との接着強度をより向上することができ、接着不良をより確実に防ぐことができる。
【００５７】
また、本実施形態では、各突起６１ｂは、開口６３からＡＦ／Ｚｏｏｍモジュール６０外縁部へ弓状に伸びている。つまり、各突起６１ｂは、非直線的に形成されており、弧状に屈曲して伸びている。これにより、各突起６１ｂを直線的に形成したときよりも、突起６１ｂと第２ホルダ５２との接触面積を広くすることができる。従って、第２ホルダ５２とＡＦ／Ｚｏｏｍモジュール６０との接着強度をより向上することができ、接着不良を防ぐことができる。
【００５８】
また、本実施形態では、隣り合う２つの突起６１ｂ間の幅が、開口６３からＡＦ／Ｚｏｏｍモジュール６０の外縁部へ向かって、広くなっている。これにより、突起６１ｂ間の領域を広くとることができるため、余剰の接着剤を確実に突起６１ｂ間に留めることができる。従って、接着剤の漏れを確実に防ぐことができる。
【００５９】
つまり、ＡＦ／Ｚｏｏｍモジュール６０裏面上の突起６１ｂを形成した領域（突起形成領域）を、突起６１ｂが形成されていない領域（突起非形成領域）よりも広くなるようにすれば、突起６１ｂと第２ホルダ５２との接触面積が広くなる。従って、第２ホルダ５２とＡＦ／Ｚｏｏｍモジュール６０との接着強度をより向上することができる。
【００６０】
逆に、突起形成領域を、突起非形成領域よりも狭くなるようにすれば、突起６１ｂ間の領域を広くとることができるため、余剰の接着剤を確実に突起６１ｂ間に留めることができる。従って、接着剤の漏れを確実に防ぐことができる。
【００６１】
また、本実施形態では、複数の突起６１ｂが、渦巻き状に形成されている。これにより、突起６１ｂ間から撮像に必要のない光（レンズ４０を通らない光）が、入るのを防ぐことができる。
【００６２】
なお、突起６１ｂの数，形状，高さ、および、突起６１ｂ間の幅は、接着剤が接着面に広がる機能を有していれば、各図の構成に限定されるものではない。
【００６３】
また、本実施形態では、ＡＦ／Ｚｏｏｍモジュール６０の裏面に突起６１ｂを形成する構成について説明した。しかし、突起６１ｂは、レンズホルダ５０におけるＡＦ／Ｚｏｏｍモジュール６０を保持する保持面（つまり第２ホルダ５２におけるＡＦ／Ｚｏｏｍモジュール６０との接着面）に形成してもよい。図１３は、複数の突起６１ｂを形成した第２ホルダ５２の上面図である。この構成では、第２ホルダ５２のＡＦ／Ｚｏｏｍモジュール６０保持面に、複数の突起６１ｂが形成されている。そして、突起６１ｂは、光路上に形成された開口５３放射状に伸びている。従って、前述したような、ＡＦ／Ｚｏｏｍモジュール６０に突起６１ｂを形成した場合と同様の効果を奏する。
【００６４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００６５】
本発明では、カメラ付き携帯電話やディジタルスチルカメラ、セキュリティカメラなどの撮像用の電子機器に適用される固体撮像装置において、接着剤などで固定する部品の接着強度を向上することが可能となる。
【図面の簡単な説明】
【００６６】
【図１】本発明のカメラモジュールにおけるＡＦ／Ｚｏｏｍモジュールの斜視図である。
【図２】本発明のカメラモジュールの断面図である。
【図３】図２のカメラモジュールの上面図である。
【図４】図２のカメラモジュールにおけるレンズユニットの断面図である。
【図５】図１のＡＦ／Ｚｏｏｍモジュールの上面図である。
【図６】図１のＡＦ／Ｚｏｏｍモジュールの断面図である。
【図７】図４のレンズユニットにおけるレンズ位置の調整を示す断面図である。
【図８】図４のレンズユニットの裏面図および断面図である。
【図９】図１のＡＦ／Ｚｏｏｍモジュールの裏面図である。
【図１０】レンズホルダにＡＦ／Ｚｏｏｍモジュールを接着する工程を示す断面図である。
【図１１】ＡＦ／Ｚｏｏｍモジュールの裏面における接着剤の進行方向を示す図である。
【図１２】図２のカメラモジュールの製造工程を示す図である。
【図１３】ＡＦ／Ｚｏｏｍモジュールの保持面に複数の突起を形成したレンズホルダの上面図である。
【図１４】特許文献１のイメージセンサモジュールの断面図である。
【符号の説明】
【００６７】
１    撮像ユニット
２    レンズユニット（光学ユニット）
３    接着剤
１１    配線基板
１２    ＤＳＰ
１３    スペーサ
１４    固体撮像素子
１５    ワイヤ
３０    接着剤
４０    レンズ
５０    レンズホルダ
５１    第１ホルダ（レンズホルダ）
５２    第２ホルダ（レンズホルダ）
５３    開口
６０    ＡＦ／Ｚｏｏｍモジュール（位置調整部）
６１    駆動部
６１ａ  コイル
６１ｂ  突起
６２    可動部
６３    開口
７０    リッドガラス
１００    カメラモジュール（固体撮像装置）
【図１】
2008245155.tif 000003
【図２】
2008245155.tif 000004
【図３】
2008245155.tif 000005
【図４】
2008245155.tif 000006
【図５】
2008245155.tif 000007
【図６】
2008245155.tif 000008
【図７】
2008245155.tif 000009
【図８】
2008245155.tif 000010
【図９】
2008245155.tif 000011
【図１０】
2008245155.tif 000012
【図１１】
2008245155.tif 000013
【図１２】
2008245155.tif 000014
【図１３】
2008245155.tif 000015
【図１４】
2008245155.tif 000016